(57)【特許請求の範囲】
【請求項１】
シリンダー錠の内筒の外端部にこれと一体に回動可能に装着され、外方に向けて鍵孔の厚さ方向及び巾方向に拡開する案内面を内筒の回動軸線方向に沿って設け、この案内面の内端における開口の厚さ方向の寸法を鍵孔の厚さよりも僅かにおおきく設定したキーガイドカバーと、このキーガイドカバーの内筒の外端面に近接する部分に、鍵孔の厚さ方向に移動可能に案内され、相互に近接する方向に付勢されると共に、外方に向けて鍵孔の厚さ方向及び巾方向に広がる案内面を形成した一対のシャッターとを有し、施解錠操作が行われない常態において、キーガイドカバーに形成された案内面と、シャッター接合部の案内面とが滑らかに接続されるように形成し、以て、施解錠操作時合鍵の尖り部を鍵孔の中心に誘導すると共に、同時にシャッターを開いて鍵孔に進入させるようにしたことを特徴とする鍵孔シャッター付のキーガイド。
【発明の詳細な説明】
【０００１】
【発明の属する技術分野】
この発明は、目や手先の動きが不自由な人でも、シリンダー錠の鍵孔に鍵を容易に挿し込むことができるようにシリンダー錠に取付けられる、鍵孔シャッター付のキーガイドに関する。
【０００２】
【従来の技術】
建築物の扉等には一般にはシリンダー錠が取付けられているが、シリンダー錠の鍵孔と鍵とのクリアランスが小さいため、施解錠時鍵と鍵孔との中心をお互いに正確に合わせてから鍵を挿入する必要がある。
【０００３】
【発明が解決しようとする課題】
しかしながら、鍵及び鍵孔は寸法的に非常に小さいので、目や手先の不自由な人には鍵と鍵孔との中心を正確に合わせることが非常に難かしく、特に、近来において高齢者が増加している社会状況においては、高齢者対策の一環としてシリンダー錠においても使用し易い環境を整えることが要請されている。
【０００４】
また、夜や夕方、或いは暗い屋内において鍵孔部分の照明が不十分な場合には、鍵を鍵孔に挿入する操作が困難であることは多くの人が経験するところである。
【０００５】
更にまた、一般のシリンダ錠は屋外に面しているにも拘らず鍵孔は露出しており、この鍵孔からシリンダ錠内部にほこりやゴミ、或いは雨水等が侵入して内部のタンブラーの作動に悪影響を及ぼす可能性があるが、通常この点において多くの人は無関心である。
【０００６】
そこで、この発明は、目や手先の不自由な高齢者や身体障害者でも、或いは夜等暗いときにもシリンダ錠を容易に施解錠できるようにすることを目的として提案されたものである。
【０００７】
また、この発明は、鍵孔にシャッターを取り付け、通常はこのシャッターにより鍵孔を閉塞して、内部に雨水やゴミが侵入しないようにすることを別の目的としている。
【０００８】
【課題を解決するための手段】
上記の目的を達成するため、この発明は、シリンダー錠の内筒の外端部にこれと一体に回動可能に装着され、外方に向けて鍵孔の厚さ方向及び巾方向に拡開する案内面を内筒の回動軸線方向に沿って設け、この案内面の内端における開口の厚さ方向の寸法を鍵孔の厚さよりも僅かにおおきく設定したキーガイドカバーと、このキーガイドカバーの内筒の外端面に近接する部分に、鍵孔の厚さ方向に移動可能に案内され、相互に近接する方向に付勢されると共に、外方に向けて鍵孔の厚さ方向及び巾方向に広がる案内面を形成した一対のシャッターとを有し、施解錠操作が行われない常態において、キーガイドカバーに形成された案内面と、シャッター接合部の案内面とが滑らかに接続されるように形成し、以て、施解錠操作時合鍵の尖り部を鍵孔の中心に誘導すると共に、同時にシャッターを開いて鍵孔に進入させるようにしたことを特徴とする。
【０００９】
【発明の実施の形態】
以下、図面に示す実施例に基づいて、この発明について説明する。
【００１０】
図１は、シリンダー錠において使用されている鍵１０の一般的な構造の平面図を示し、鍵としての機能をもったステム１１と摘み１２とから構成され、ステムの先端は左右の斜面から成る尖り部１１ａとなっており、ステムの基部にはショルダー１１ｂが形成されている。
【００１１】
ちなみに、鍵先の尖り部１１ａは、シリンダ錠の内筒内に列設されたタンブラーを楔作用により押上げて、各タンブラーの係合部を鍵のステムに形成されたＶ字形の鍵溝の底に係合させるものである。
【００１２】
鍵を鍵孔に挿入するには、指先にて摘み１２を保持し、尖り部１１ａを鍵孔の中心に合わせて挿入し、ショルダー１１ｂをシリンダー錠の内筒の外端面に突当てる。
【００１３】
そしてこのあと、鍵を時計方向或は反時計方向に回動させて施解錠を行うようになっている。
【００１４】
図２において符号３１は筒状の取付け具を示し、この取付け具３１は扉３０の内部に設置された錠箱（図示せず）に固定され、その内側にはシリンダー錠２０が固定されている。
【００１５】
周知のように、シリンダー錠２０は外筒２１と内筒２２とから構成されており、図示の実施例では、内筒２２は外筒２１の外端面より前方（外方）に突出している。
【００１６】
ちなみに、図２において符号２３はシリンダー錠の鍵孔の厚さ方向の内面を示し、図３において符号２４は鍵孔の巾方向の内面を示している。
【００１７】
取付金具３１の外側には、前端にフランジ４１ａを有する外側スリーブ４１が例えばかしめにより固定され、更に外側スリーブ４１の内側には後端にフランジ４２ａを有する内側スリーブ４２がこれもかしめ等により固定されている。
【００１８】
上記外側スリーブ４１の前端のフランジ４１ａと内側スリーブ４２の後端のフランジ４２ａとの間には、これらに挟まれるようにしてキーガイドカバー４０がシリンダ錠の内筒２０と一体に回動可能に装着されている。
【００１９】
図示の実施例では、キーガイドカバー４０の後部にその母線方向に沿って形成された突条又は溝が、内筒２２の先端部に形成された溝又は突条に係合することにより、これらキーガイドカバー４０と内筒２２とは相互回動を拘束された状態で連結されている。
【００２０】
上記した構造により、内筒２２が鍵により回動されるとき、キーガイドカバー４０は外側スリーブのフランジ４１ａの内面と内側スリーブ４２の内面との間で滑りながら、内筒２２とともに回動する構造となっている。
【００２１】
なお、図２において、符号３２は取付け金具３１を覆い外観を優美に見せるための化粧リングを示す。
【００２２】
キーガイドカバー４０の内部内側には浅い矩形の凹陥部４０ｂ（図４参照）が形成されており、この凹陥部内には、図４において上下方向に移動可能に１対のシャッター４３、４３が収納、案内されている。
【００２３】
上記各シャッター４３は厚い短冊状の形状を有し、その長さは凹陥部４０ｂの左右の内面間の距離よりもわずかに小さく、従って凹陥部４０ｂ内においてスムースに上下滑動するように嵌装されている。
【００２４】
また、図２に示すように、１対のシャッター４３、４３の裏面側にはカバープレート４４が止めねじ４６により取付けられていて、シャッター４３、４３の凹陥部４０ｂからの脱落を防止している。
【００２５】
ちなみに、上記カバープレート４４は、図３及び図４に示すように、凹陥部４０ｂに連設され、一端（図４において右端）がキーガイドカバー４０の外周面に開口するスリット４０ｄに外側から挿入されるようにしてキーガイドカバー４０に装着される。
【００２６】
また、図２に示すように、凹陥部４０ｂの一端には突起状のスプリングシート４０ｃ、４０ｃが形成され、一方、これらのスプリングシート４０ｃ、４０ｃに対向するシャッター４３の一端にもスプリングシート４３ｂ、４３ｂが突設されている。
【００２７】
そして、これらのスプリングシート間には、図４に示すように、例えば４個のスプリング４５、４５が弾装され、これらスプリング４５、４５の弾力により１対のシャッター４３、４３は相互に近接するように付勢されている。
【００２８】
従って、施解錠操作が行われない常態においては、上下のシャッター４３、４３はシリンダー錠の水平中心線上において相互に接している。
【００２９】
一方、図２及び図４に示すように、キーガイドカバー４０には角錐状の案内面４０ａが形成されており、この案内面４０ａは、図２に示すように、外側（図２において左方向）に向けて拡開する形状である。
【００３０】
また、図２乃至図４に示すように、上記角錐状の案内面４０ａは、正面から見て、奥の方ほど単調に断面形状が小さくなるが、この案内面４０ａの上記凹陥部４０ｂへの接続部、すなわち、凹陥部４０ｂに開口する横長の矩形の穴の上下の開口端縁間の距離は、鍵孔の厚さよりもわずか大きくなるように設定されている。
【００３１】
又、図３に示すように、４０ａの凹陥部４０ｂに開口する横長の矩形の穴の左右の開口端縁間の距離は、図１に示す鍵のショルダー１１ｂの巾１４よりもわずかに大きい寸法となっている。
【００３２】
更にまた、１対のシャッター４３、４３の接合部外面側には、図３及び図４に示すように、平たい角錐状の案内面４３ａが形成され、このシャッター接合部の案内面４３ａとキーガイドカバー４０に形成された案内面４０ａとは段差無く滑らかに接続されている。
【００３３】
上記のように構成された鍵孔シャッター付のキーガイドを装着したシリンダー錠の施解錠時、図５及び図６に示すように、鍵のステム１１が外方（図において左側）からキーガイドカバー４０の角錐形の案内孔内に挿入される。
【００３４】
このとき、鍵１０のステム１１の中心がシリンダー錠の中心から外れている場合、主に鍵１０の前端部が案内面４０ａに接触して強制的に案内され、シャッター４３、４３の接合部における案内面４３ａの外端開口にまで誘導される。
【００３５】
更に、鍵を押していくと、鍵の尖り部１１ａはシャッター４３の案内面４３ａに案内されてその先端は正確にシリンダー錠の鍵孔の中心にまで誘導され、同時に鍵の尖り部１１ａとシャッターの案内面４３ａとの間の楔作用により、シャッターが開く。この様子を図５、６に示す。
【００３６】
鍵の前端部が鍵孔に挿入されると、以降の施解錠操作は通常の錠前における鍵挿入と同様に行われ、最終的には、図７及び図８に示すように、鍵のショルダー１１ｂが内筒の外端面２２ａに接して挿入が完了する。
【００３７】
この発明による鍵孔シャッター付のキーガイドの鍵の案内作用を更に詳細に説明すると次のようになる。
【００３８】
すなわち、前述したように、キーガイドカバー４０の２つの案内面４０ａの内端における開口の鍵の厚さ方向の寸法は鍵孔の厚さよりもわずかに大きく設定されている。従って、鍵の厚さ方向については、鍵の尖り部１１ａがキーガイドカバーの案内面４０ａを通過した時点で鍵孔の中心に誘導される。
【００３９】
しかし、キーガイドカバー４０の案内面４０ａの内端の左右方向の寸法は、鍵のショルダーの外縁１３の巾１４よりもわずか大きい寸法となっており、ステム１１の巾よりも２つのショルダーの高さ分だけ大きい寸法となっている。
【００４０】
したがって、鍵の巾方向については、尖り部１１ａが案内面４０ａを通過した時点でも鍵孔の中心にまでは誘導されていない。
【００４１】
そこで、キーガイドカバー４０の奥にシャッター４３、４３を配設し、これらのシャッターの接合部に鍵の平たい角錐状の案内面４３ａを形成し、鍵の尖り部１１ａを鍵孔の中心に誘導するようにしたものである。
【００４２】
かくすることにより、尖り部１１ａは、鍵の巾方向の中心にまで誘導されるとともに、同時にシャッターを開いて鍵孔に進入する。
【００４３】
以上の説明において、キーガイドカバー４０の案内面４０ａは平面的な斜面として画いているが、実際にはこの形状に限定されるものではなく、例えば、図９に示すように、複数の斜面を連続した形状でもよく、又、図１０に示すように、曲面から構成した形状でもよいことは勿論である。
【００４４】
更に、キーガイドカバー４０の案内面には、蛍光塗料等、蓄光性の材料から成る塗装を施工することにより、夕方や夜間等、暗い場所においても容易に鍵孔の位置を視認することができて操作し易くなる。
【００４５】
【発明の効果】
以上に説明したこの発明の鍵孔シャッター付のキーガイドは、従来から使用されているシリンダー錠の外側に、シャッターを内蔵したキーガイドカバーを装着したので、目や手先の動きの不自由な人でも、或いは夜暗いときでも、容易に鍵を鍵孔に挿入すことができる。
【００４６】
又、常時、シャッターは鍵孔を塞いでいるため、鍵孔に雨水や埃が進入するのが防止することができる。
【００４７】
更にまた、この鍵孔シャッター付のキーガイドは、既設のシリンダー錠にもあとから取付けることができ、新規に取付け直す必要もないという利点もある。
【図面の簡単な説明】
【図１】シリンダー錠の鍵の一般的な構造の平面図。
【図２】この発明の鍵孔シャッター付のキーガイドを装着したシリンダー錠の縦断面図。
【図３】図２のＩＩＩ−ＩＩＩ線による断面図。
【図４】図２のＩＶ−ＩＶ方向から見たキーガイドカバーの正面図。
【図５】鍵孔シャッター付のキーガイドに鍵先端を挿入した状態を示す縦断面図。
【図６】図５のＶＩ−ＶＩ線にによる縦断面図。
【図７】シリンダー錠に鍵を完全に挿入した状態を示す図２と同様のシリンダ錠の縦断面図。
【図８】図７のＶＩＩＩ−ＶＩＩＩ線によるシリンダ錠の縦断面図。
【図９】この発明の他の実施例を示すキーガイドカバーの断面図。
【図１０】この発明の更に他の実施例を示すキーガイドカバーの断面図。
【符号の説明】
１０  鍵
１１  ステム
１１ａ  尖り部
１１ｂ  ショルダー
１２  摘み
１３  外縁
１４  巾
２０  シリンダー錠
２１  外筒
２２  内筒
２２ａ  外端面
２３  鍵孔内面（厚さ方向）
３１  取付け金具
３２  化粧リング
４０  キーガイドカバー
４０ａ  案内面
４０ｂ  凹陥部
４０ｃ  スプリングシート
４１  外側スリーブ
４１ａ  フランジ
４２  内側スリーブ
４２ａ  フランジ
４３  シャッター
４３ａ  案内面
４３ｂ  スプリングシート
４４  カバープレート
４５  スプリング
【図１】
0004024336.tif 000002
【図２】
0004024336.tif 000003
【図３】
0004024336.tif 000004
【図４】
0004024336.tif 000005
【図５】
0004024336.tif 000006
【図６】
0004024336.tif 000007
【図７】
0004024336.tif 000008
【図８】
0004024336.tif 000009
【図９】
0004024336.tif 000010
【図１０】
0004024336.tif 000011